(57)【要約】【課題】著作物の権利を保護しつつ、利用者の利便性を低下させにくくすること。【解決手段】１つの態様において、携帯電子機器（例えば、携帯電話１００）は、外部装置が接続されるＵＳＢコネクタと、前記ＵＳＢコネクタにＵＳＢ−Ａｕｄｉｏ対応の外部装置が接続されると、デジタル放送の放送波が受信されている場合、当該デジタル放送に係る著作権保護された音が前記ＵＳＢ−Ａｕｄｉｏ対応の外部装置から出力されないように制御する制御部とを有する。携帯電子機器（例えば、携帯電話１００）は、テレビチューナ１４０の起動中に、接続された外部装置が、例えば、ＵＳＢ−Ａｕｄｉｏ対応のオーディオ機器２００である場合、放送データに含まれる音データがオーディオ機器２００から出力されないように制御するために、デコードした放送データに含まれる音データを無音データに加工する。【選択図】図１
2014135704.tif 000002
【特許請求の範囲】
【請求項１】
外部装置が接続されるＵＳＢコネクタと、
前記ＵＳＢコネクタにＵＳＢ−Ａｕｄｉｏ対応の外部装置が接続されると、デジタル放送の放送波が受信されている場合、当該デジタル放送に係る著作権保護された音が前記ＵＳＢ−Ａｕｄｉｏ対応の外部装置から出力されないように制御する制御部と
を有する携帯電子機器。
【請求項２】
表示部をさらに有し、
前記制御部は、前記著作権保護された音が前記ＵＳＢ−Ａｕｄｉｏ対応の外部装置から出力されないように制御すると共に、前記著作権保護された音は前記外部装置から出力することができない旨の情報を前記表示部に表示する請求項１に記載の携帯電子機器。
【請求項３】
表示部をさらに有し、
前記制御部は、前記著作権保護された音が前記ＵＳＢ−Ａｕｄｉｏ対応の外部装置から出力されないように制御すると共に、前記著作権保護された音の出力先を前記外部装置に切り替えるための操作を検出した場合には、前記著作権保護された音の出力先を前記外部装置に切り替えることはできない旨の情報を前記表示部に表示する請求項１に記載の携帯電子機器。
【請求項４】
外部装置が接続されるＵＳＢコネクタを有する携帯電子機器によって実行される音出力制御方法であって、
前記ＵＳＢコネクタにＵＳＢ−Ａｕｄｉｏ対応の外部装置が接続されたかを判定するステップと、
前記ＵＳＢ−Ａｕｄｉｏ対応の外部装置が接続されたと判定されると、デジタル放送の放送波が受信されているかを判定するステップと、
デジタル放送の放送波が受信されていると判定されると、前記デジタル放送に係る著作権保護された音データが前記ＵＳＢ−Ａｕｄｉｏ対応の外部装置から出力されないように制御するステップと
を含む音出力制御方法。
【請求項５】
外部装置が接続されるＵＳＢコネクタを有する携帯電子機器に、
前記ＵＳＢコネクタにＵＳＢ−Ａｕｄｉｏ対応の外部装置が接続されたかを判定するステップと、
前記ＵＳＢ−Ａｕｄｉｏ対応の外部装置が接続されたと判定されると、デジタル放送の放送波が受信されているかを判定するステップと、
デジタル放送の放送波が受信されていると判定されると、前記デジタル放送に係る著作権保護された音データが前記ＵＳＢ−Ａｕｄｉｏ対応の外部装置から出力されないように制御するステップと
を実行させる音出力制御プログラム。
【発明の詳細な説明】
【技術分野】
【０００１】
本出願は、携帯電子機器、音出力制御方法及び音出力制御プログラムに関する。
【背景技術】
【０００２】
近年、著作権保護の観点から、地上デジタル放送を受信可能な携帯電話等において、携帯電話に外部装置が接続されると、デジタル放送に係る著作権保護された音の外部装置からの出力が制限される場合がある。非特許文献１には、そのような外部装置からの出力の制限について記載されている。
【先行技術文献】
【特許文献】
【０００３】
【非特許文献１】一般社団法人、電波産業会、地上デジタルテレビジョン放送運用規定、ＡＲＩＢ  ＴＲ−Ｂ１４、第三分冊、第八編、「地上デジタルテレビジョン放送コンテンツ保護規定」
【発明の概要】
【発明が解決しようとする課題】
【０００４】
しかしながら、非特許文献１には、ＵＳＢ−Ａｕｄｉｏ（ＵＳＢで音声を扱うためのデバイスクラス（Ａｕｄｉｏクラス）に準拠したＵＳＢデバイス）に対応した外部装置が接続された場合についての記載はない。
【０００５】
本発明は、携帯電子機器において、ＵＳＢ−Ａｕｄｉｏに対応した外部装置が接続された場合に、著作権保護された音の当該外部機器からの出力を制御する手法を提案する。
【課題を解決するための手段】
【０００６】
１つの態様に係る携帯電子機器は、外部装置が接続されるＵＳＢコネクタと、前記ＵＳＢコネクタにＵＳＢ−Ａｕｄｉｏ対応の外部装置が接続されると、デジタル放送の放送波が受信されている場合、当該デジタル放送に係る著作権保護された音が前記ＵＳＢ−Ａｕｄｉｏ対応の外部装置から出力されないように制御する制御部とを有する。
【０００７】
１つの態様に係る音出力制御方法は、外部装置が接続されるＵＳＢコネクタを有する携帯電子機器によって実行される音出力制御方法であって、前記ＵＳＢコネクタにＵＳＢ−Ａｕｄｉｏ対応の外部装置が接続されたかを判定するステップと、前記ＵＳＢ−Ａｕｄｉｏ対応の外部装置が接続されたと判定されると、デジタル放送の放送波が受信されているかを判定するステップと、デジタル放送の放送波が受信されていると判定されると、前記デジタル放送に係る著作権保護された音データが前記ＵＳＢ−Ａｕｄｉｏ対応の外部装置から出力されないように制御するステップとを含む。
【０００８】
１つの態様に係る音出力制御プログラムは、外部装置が接続されるＵＳＢコネクタを有する携帯電子機器に、前記ＵＳＢコネクタにＵＳＢ−Ａｕｄｉｏ対応の外部装置が接続されたかを判定するステップと、前記ＵＳＢ−Ａｕｄｉｏ対応の外部装置が接続されたと判定されると、デジタル放送の放送波が受信されているかを判定するステップと、デジタル放送の放送波が受信されていると判定されると、前記デジタル放送に係る著作権保護された音データが前記ＵＳＢ−Ａｕｄｉｏ対応の外部装置から出力されないように制御するステップとを実行させる。
【図面の簡単な説明】
【０００９】
【図１】図１は、実施形態に係る携帯電話のブロック図である。
【図２】図２は、制御部における制御を説明するための概念図である。
【図３】図３は、本実施形態に係る携帯電話による制御の流れを示すフローチャートである。
【図４】図４は、本実施形態に係る携帯電話による制御の流れを示すフローチャートである。
【図５】図５は、図４に示す制御が実行されるときの携帯電話の表示部における表示イメージの遷移図である。
【図６】図６は、図４に示す制御が実行されるときの携帯電話の表示部における表示イメージの遷移図である。
【発明を実施するための形態】
【００１０】
本発明を実施するための実施形態を、図面を参照しつつ詳細に説明する。以下では、本発明に係る携帯電子機器の一例として、携帯電話について説明する。
【００１１】
（実施形態）
図１は、本実施形態に係る携帯電話の機能構成を示すブロック図である。図１に示すように携帯電話１００は、通信部１１０と、表示部１２０と、操作部１３０と、テレビチューナ１４０と、スピーカ１５０、第１コネクタ１６０Ａ、第２コネクタ１６０Ｂと、記憶部１７０と、制御部１８０とを有する。
【００１２】
通信部１１０は、公衆回線ネットワークなどのネットワークを通じて、データの送受信、通話などの通信を行うことができるように構成されている。通信部１１０がサポートする通信規格には、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信部１１０は、上述した通信規格の１つ又は複数をサポートしていてもよい。
【００１３】
表示部１２０は、制御部１８０から供給される画像データ、及び地上デジタル放送の放送データ（以下、放送データ）に含まれる画像データを表示する。画像データには、動画および静止画が含まれる。表示部１２０は、例えば、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）などで構成される。図１には示していないが、携帯電話１００は、表示部１２０に表示される画面などの操作を行うためのタッチセンサを備えてもよい。
【００１４】
操作部１３０は、複数のキーおよびボタンなどを備えて構成され、利用者の操作入力を受け付ける。操作部１３０は、利用者によるキーおよびボタンなどを操作することにより、入力された操作内容に対応する信号を発生させる。発生した信号は、制御部１８０に入力される。
【００１５】
テレビチューナ１４０は、デジタル放送の放送データ（放送波）を取得する。放送データには、放送される番組の画像データ及び音データに加え、番組の構成情報などが含まれる。テレビチューナ１４０により取得される放送データは、制御部１８０に送られる。テレビチューナ１４０が取得する放送データは、１つのセグメントで構成される、いわゆるワンセグの放送データであってもよいし、１２セグメントで構成される放送データであってもよい。
【００１６】
スピーカ１５０は、音を出力する。スピーカ１５０は、制御部１８０から送り出された音信号を音として出力する。スピーカ１５０から出力される音には、例えば、テレビチューナ１４０により取得される放送データに含まれる音データに対応する音が含まれる。
【００１７】
第１コネクタ１６０Ａは、ヘッドセット、イヤホンマイクなどが接続される端子である。第１コネクタ１６０Ａには、例えば、ヘッドセット又はイヤホンマイク側の端子が差し込まれて接続される。第１コネクタ１６０Ａは、接続されたヘッドセット又はイヤホンなどに対して、制御部１８０から送り出された音信号を送り出す。
【００１８】
第２コネクタ１６０Ｂは、外部装置が接続されるＵＳＢコネクタである。第２コネクタ１６０Ｂには、外部装置側の端子が差し込まれて接続される。第２コネクタ１６０Ｂに接続される外部装置には、例えば、ＵＳＢ−Ａｕｄｉｏに対応したスピーカなどのオーディオ機器２００の他、外部ストレージ、通信装置などが含まれる。
【００１９】
記憶部１７０は、プログラム及びデータを記憶する。記憶部１７０は、制御部１８０の処理結果を一時的に記憶する作業領域としても利用される。記憶部１７０は、半導体記憶媒体、及び磁気記憶媒体等の任意の非一過的（ｎｏｎ−ｔｒａｎｓｉｔｏｒｙ）な記憶媒体を含んでよい。記憶部１７０は、複数の種類の記憶媒体を含んでよい。記憶部１７０は、メモリカード、光ディスク、又は光磁気ディスク等の可搬の記憶媒体と、記憶媒体の読み取り装置との組み合わせを含んでよい。記憶部１７０は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２０】
本実施形態において、記憶部１７０は、図１に示すように、少なくとも、音出力制御プログラム１７０ａを記憶する。音出力制御プログラム１７０ａは、テレビチューナ１４０の起動中に、ＵＳＢ−Ａｕｄｉｏ対応の外部装置の接続が検出された場合には、デジタル放送に含まれる著作権保護された音がＵＳＢ−Ａｕｄｉｏ対応の外部装置から出力されないように制御するための機能を提供する。
【００２１】
さらに、音出力制御プログラム１７０ａは、テレビチューナ１４０の起動中に、ＵＳＢ−Ａｕｄｉｏ対応の外部装置の接続が検出された場合には、著作権保護された音はＵＳＢ−Ａｕｄｉｏ対応の外部装置から出力することはできない旨の情報を表示部１２０に表示するための機能を提供する。
【００２２】
さらに、音出力制御プログラム１７０ａは、テレビチューナ１４０の起動中に、著作権保護された音の出力先をＵＳＢ−Ａｕｄｉｏ対応の外部装置に切り替えるための操作を検出した場合には、著作権保護された音の出力先をＵＳＢ−Ａｕｄｉｏ対応の外部装置に切り替えることはできない旨のメッセージを表示部１２０に表示するための機能を提供する。
【００２３】
制御部１８０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部１８０は、携帯電話１００の動作を統括的に制御して各種の機能を実現する。
【００２４】
具体的には、制御部１８０は、記憶部１７０に記憶されているデータを必要に応じて参照しつつ、記憶部１７０に記憶されているプログラム（又はアプリケーション）に含まれる命令を実行する。そして、制御部１８０は、データ及び命令に応じて機能部を制御し、それによって各種機能を実現する。機能部は、例えば、通信部１１０、表示部１２０、テレビチューナ１４０、スピーカ１５０、第１コネクタ１６０Ａ、第２コネクタ１６０Ｂを含むが、これらに限定されない。制御部１８０は、検出部の検出結果に応じて、制御を変更することがある。検出部は、例えば、通信部１１０、表示部１２０、操作部１３０を含むが、これらに限定されない。
【００２５】
本実施形態において、制御部１８０は、上記音出力制御プログラム１７０ａを記憶部１７０から読込んで実行することにより、テレビチューナ１４０の起動中に、ＵＳＢ−Ａｕｄｉｏ対応の外部装置の接続が検出された場合には、デジタル放送に含まれる著作権保護された音がＵＳＢ−Ａｕｄｉｏ対応の外部装置から出力されないように制御する。テレビチューナ１４０の起動中には、テレビチューナ１４０によりデジタル放送の放送データ（放送波）が受信されている場合を含む。
【００２６】
具体的に説明すると、制御部１８０は、テレビチューナ１４０の起動中に、第２コネクタ１６０Ｂに対する外部装置の接続を検出した場合には、接続された外部装置から取得される情報に基づいて、接続された外部装置が、例えば、ＵＳＢ−Ａｕｄｉｏ対応のオーディオ機器２００であるか否かを判別する。ＵＳＢ−Ａｕｄｉｏ対応のオーディオ機器２００である場合、制御部１８０は、放送データに含まれる音データがオーディオ機器２００から出力されないように制御するために、例えば、図２に示すように、デコードした放送データに含まれる音データを無音データに加工する。図２は、制御部１８０により実行される制御を説明するための概念図である。図２に示すように、制御部１８０は、デコードした放送データを、ＵＳＢ−Ａｕｄｉｏ対応のオーディオ機器２００に伝送するためのＵＳＢ対応のフレームＤ１において、音データを格納するための領域の中身（データ）を０にした無音データに加工する。音データを格納するための領域の中身（データ）を０にすることには、音データを格納するための領域のデータを０にすること、及び音量を格納するための領域のデータを０にすることが含まれる。そして、制御部１８０は、第２コネクタ１６０Ｂを介して、無音データをオーディオ機器２００に送り出す。その結果、オーディオ機器２００からは音が出力されない。制御部１８０は、音データを格納するための領域の中身を０にする代わりに、音データを格納するための領域に、予め設定された音声データを格納してもよい。この場合、音量は所定の音量で良い。予め設定された音声データは、例えば「著作権保護の観点から、接続されたスピーカからは音を出力することができません」という音声データである。なお、テレビチューナ１４０が起動中である場合には、制御部１８０が、テレビチューナ１４０により取得された放送データをデコードしている場合が含まれる。また、テレビチューナ１４０が起動中である場合には、制御部１８０が、デコードした放送データに含まれる画像データを表示部１２０に送り出すとともに、デコードした放送データに含まれる音データをスピーカ１５０、あるいは第１コネクタ１６０Ａに接続されたイヤホンなどに送り出している場合が含まれる。
【００２７】
さらに、制御部１８０は、テレビチューナ１４０の起動中に、ＵＳＢ−Ａｕｄｉｏ対応の外部装置の接続が検出された場合には、著作権保護された音はＵＳＢ−Ａｕｄｉｏ対応の外部装置から出力することはできない旨の情報を表示部１２０に表示する。
【００２８】
さらに、制御部１８０は、テレビチューナ１４０の起動中に、著作権保護された音の出力先をＵＳＢ−Ａｕｄｉｏ対応の外部装置に切り替えるための操作を検出した場合には、著作権保護された音の出力先をＵＳＢ−Ａｕｄｉｏ対応の外部装置に切り替えることはできない旨のメッセージを表示部１２０に表示する。
【００２９】
図３〜図６を用いて、本実施形態に係る携帯電話１００により実行される制御の流れを説明する。図３及び図４は、本実施形態に係る携帯電話１００による制御の流れを示すフローチャートである。図５及び図６は、図４に示す制御が実行されるときの携帯電話１００の表示部１２０における表示イメージの遷移図である。図３〜図６に示す制御は、制御部１８０が、音出力制御プログラム１７０ａを記憶部１７０から読込んで実行することにより実現される。以下では、携帯電話１００により、例えば、ワンセグの放送データが取得されているときの制御の例について説明する。
【００３０】
図３は、携帯電話１００で取得された放送データに含まれる音データがオーディオ機器２００から出力されないようにするための制御の手順を示している。図３に示すように、制御部１８０は、第２コネクタ１６０Ｂに対して、ＵＳＢ−Ａｕｄｉｏ対応のオーディオ機器２００の接続されたことが検出されると（ステップＳ１０１）、テレビチューナ１４０が起動中であるかを判定する（ステップＳ１０２）。
【００３１】
制御部１８０は、判定の結果、テレビチューナ１４０が起動中である場合には（ステップＳ１０２、Ｙｅｓ）、ワンセグの放送データに含まれる音データを無音データに加工する（ステップＳ１０３）。続いて、制御部１８０は、ワンセグの放送データに含まれる音データの出力先をオーディオ機器２００に切り替える（ステップＳ１０４）。制御部１８０は、音データの出力先を自動的に切り替えてもよいし、利用者の切替操作に応じて切り替えてもよい。
【００３２】
制御部１８０は、音データの出力先をオーディオ機器２００に切り替えた後、無音データをオーディオ機器２００に送出して（ステップＳ１０５）、図３に示す制御を終了する。このように、携帯電話１００からオーディオ機器２００に対して無音データが送られるので、ワンセグの放送データに含まれる音データが音としてオーディオ機器２００から出力されることはない。
【００３３】
ステップＳ１０２において、制御部１８０は、判定の結果、テレビチューナ１４０が起動中ではない場合には（ステップＳ１０２、Ｎｏ）、音データの出力先をオーディオ機器２００に切り替えて（ステップＳ１０６）、図３に示す制御を終了する。制御部１８０は、動画コンテンツあるいは音楽コンテンツなどの再生中である場合には、音データの出力先をオーディオ機器２００に切り替えた後、コンテンツに含まれる音データをオーディオ機器２００に送出する。これにより、例えば、携帯電話１００において、動画コンテンツあるいは音楽コンテンツなどの再生中である場合には、動画コンテンツあるいは音楽コンテンツに含まれる音データが音としてオーディオ機器２００から出力される。
【００３４】
図４は、図３に示す制御に対して、さらに別の制御が追加されるときの手順を示している。図４に示す制御は、ステップＳ２０６〜ステップＳ２０８の手順が、図３に示す制御とは異なる。
【００３５】
すなわち、図４に示すように、制御部１８０は、第２コネクタ１６０Ｂに対して、ＵＳＢ−Ａｕｄｉｏ対応のオーディオ機器２００の外部接続が検出されると（ステップＳ２０１）、テレビチューナ１４０が起動中であるかを判定する（ステップＳ２０２）。
【００３６】
制御部１８０は、判定の結果、テレビチューナ１４０が起動中である場合には（ステップＳ２０２、Ｙｅｓ）、ワンセグの放送データに含まれる音データを無音データに加工する（ステップＳ２０３）。続いて、制御部１８０は、ワンセグの放送データに含まれる音データの出力先をオーディオ機器２００に切り替えて（ステップＳ２０４）、無音データをオーディオ機器２００に送出する（ステップＳ２０５）。
【００３７】
続いて、制御部１８０は、音データの出力先をオーディオ機器２００に切り替える操作が検出されたかを判定する（ステップＳ２０６）。
【００３８】
制御部１８０は、判定の結果、音データの出力先をオーディオ機器２００に切り替える操作が検出された場合には（ステップＳ２０６、Ｙｅｓ）、音データの出力先をオーディオ機器２００に切り替えることはできない旨のメッセージを表示部１２０に表示して（ステップＳ２０７）、図４に示す制御を終了する。
【００３９】
これとは反対に、制御部１８０は、判定の結果、音データの出力先をオーディオ機器２００に切り替える操作が検出されない場合には（ステップＳ２０６、Ｎｏ）、ワンセグ（の放送データ）がオーディオ機器２００に非対応である旨のメッセージを表示部１２０に表示して（ステップＳ２０８）、図４に示す制御を終了する。制御部１８０は、音データの出力先をオーディオ機器２００に切り替える操作が検出されない場合には、直ちに、非対応である旨のメッセージを表示してもよいし、切り替える操作が検出されない状態が一定時間継続した場合には、非対応である旨のメッセージを表示してもよい。
【００４０】
ステップＳ２０２において、制御部１８０は、判定の結果、テレビチューナ１４０が起動中ではない場合には（ステップＳ２０２、Ｎｏ）、音データの出力先をオーディオ機器２００に切り替えて（ステップＳ２０９）、図４に示す制御を終了する。
【００４１】
図５及び図６を用いて、上記図４に示す制御について表示イメージを交えつつ説明する。図５に示す例は、上記図４に示すステップＳ２０１〜ステップＳ２０４の制御に対応する。図６に示す例は、上記図４に示すステップＳ２０１〜ステップＳ２０６，ステップＳ２０８の制御に対応する。
【００４２】
図５に示すように、制御部１８０は、テレビチューナ１４０が起動中である場合、デコードしたワンセグの放送データに含まれる画像データ１０を表示部１２０に表示させ、デコードした放送データに含まれる音データをスピーカ１５０などから出力させる（ステップＳ３０１）。
【００４３】
続いて、テレビチューナ１４０の起動中に、ＵＳＢ−Ａｕｄｉｏ対応のオーディオ機器２００の接続されたことが検出されると、制御部１８０は、ワンセグの放送データに含まれる音データをオーディオ機器２００から出力しないように制御する（ステップＳ３０２）。具体的には、制御部１８０は、ワンセグの放送データに含まれる音データを無音データに加工する（図３のステップＳ１０３参照）。オーディオ機器２００の接続が検出された際、制御部１８０は、表示部１２０にオーディオ機器２００の接続の検出を示すアイコン２０を表示部１２０に表示させてもよい。
【００４４】
続いて、制御部１８０は、例えば、利用者の操作に応じて、インタフェース３０を表示部１２０に表示する（ステップＳ３０３）。インタフェース３０は、音の出力先を、第２コネクタ１６０Ｂに接続されたオーディオ機器２００に切り替えるための操作画面である。
【００４５】
そして、制御部１８０は、音データの出力先をオーディオ機器２００に切り替える操作が検出されると（ステップＳ３０４）、音データの出力先をオーディオ機器２００に切り替えることはできない旨のメッセージ４０を表示部１２０に表示する（ステップＳ３０５）。
【００４６】
実際には、切替操作が行えるようにしても、携帯電話１００からオーディオ機器２００に対して無音データ或いは予め設定された音声データが送出されるので、著作権保護の観点からは問題はない。しかしながら、切替操作を行えるようにした場合、切替操作を行っても、ワンセグの放送データに含まれる音データがオーディオ機器２００から音として出力されないので、利用者が携帯電話１００又はオーディオ機器２００の故障と勘違いしてしまう恐れがある。そこで、このような不都合な事態が起こりえないようにするために、テレビチューナ１４０の起動中（ワンセグ起動中）は、切替操作そのものをできないようにする趣旨である。仮に、切替操作が行えるようにする場合には、切替操作自体は受入れて、ＵＳＢ対応のオーディオ機器２００が、ワンセグの放送データに対応していない旨のメッセージを表示することにより、オーディオ機器２００から音が出力されなくても、故障であると勘違いしないようにすることができる。また、携帯電話１００は、ＯＳによっては、音データの出力先を利用者が切り替える仕様である場合が考えられる。この場合、メッセージ４０を表示部１２０に表示することは有効である。
【００４７】
図６に示すように、制御部１８０は、テレビチューナ１４０が起動中である場合、デコードしたワンセグの放送データに含まれる画像データ１０を表示部１２０に表示させ、デコードした放送データに含まれる音データをスピーカ１５０などから出力させる（ステップＳ４０１）。
【００４８】
続いて、テレビチューナ１４０の起動中に、オーディオ機器２００の外部接続が検出されると、制御部１８０は、ワンセグの放送データに含まれる音データをオーディオ機器２００から出力しないように制御する（ステップＳ４０２）。具体的には、制御部１８０ワンセグの放送データに含まれる音データを無音データに加工する（図４のステップＳ２０３参照）。オーディオ機器２００の外部接続が検出された際、制御部１８０は、表示部１２０にオーディオ機器２００の外部接続の検出を示すアイコン２０を表示部１２０に表示させてもよい。
【００４９】
続いて、制御部１８０は、音データの出力先をオーディオ機器２００に切り替える操作が検出されない場合には、ワンセグ（の放送データ）がオーディオ機器２００に非対応である旨のメッセージ５０を表示部１２０に表示する（ステップＳ４０３）。
【００５０】
例えば、音データの出力先を利用者が切り替えることを前提とする装置である場合、オーディオ機器２００の接続後、続いて、音データの出力先をオーディオ機器２００に切り替える操作が行われる場合が多いものと想定される。しかしながら、オーディオ機器２００の接続後、直ぐに切替操作が行われない場合には、ワンセグの放送データがオーディオ機器２００に非対応である旨を表示させることにより、例えば、図５に示すように、音データの出力先をオーディオ機器２００に切り替える操作に応じて、出力先をオーディオ機器２００に切り替えることができない旨のメッセージを表示するよりも前に、ワンセグの放送データの音が、ＵＳＢ対応のオーディオ機器２００からは出力されないことを利用者にいち早く知らせる趣旨である。
【００５１】
上述してきたように、本実施形態では、携帯電話１００が、テレビチューナ１４０の起動中に、ＵＳＢ対応のオーディオ機器２００の外部接続を検出すると、デコードした放送データに含まれる音データを無音データに加工して、オーディオ機器２００に送り出す。このため、本実施形態によれば、ワンセグの放送データに含まれる音データが音としてオーディオ機器２００から出力されることはなく、著作物の権利を保護することができる。
【００５２】
さらに、本実施形態では、携帯電話１００は、テレビチューナ１４０の起動中である場合に音データの出力先を変更できない旨のメッセージ、あるいはワンセグの放送データがＵＳＢ対応のオーディオ機器２００に対応していない旨のメッセージを表示する。このため、本実施形態によれば、ワンセグの放送データに含まれる音データがオーディオ機器２００から音として出力されなくても、利用者が携帯電話１００又はオーディオ機器２００の故障と勘違いしてしまうなどの不都合を防止でき、利用者の利便性を低下させにくい。
【００５３】
本実施形態では、携帯電話１００が、ＵＳＢ対応のオーディオ機器２００の外部接続を検出すると、デコードした放送データに含まれる音データを無音データに加工する制御の例を説明した。しかしながら、この例に限定されるものではなく、携帯電話１００は、放送データに含まれる音データの音量（音圧レベル）そのものを「０」に調整する、あるいはミュートするような制御を行ってもよい。携帯電話１００は、例えば、着信・通知音量、アラーム音量、メディア音量の中から、放送データに含まれる音データに対応するメディア音量を選択して、音量を０に調節する。あるいは、制御部１８０は、放送データに含まれる音データをオーディオ機器２００に出力しないように制御するために、放送データの全てをバックグラウンドにするような制御を行ってもよい。
【００５４】
本実施形態では、第２コネクタ１６０ＢがＵＳＢに対応する端子である例について説明したが、他の規格に準拠した端子であってもよい。すなわち、本実施形態における携帯電話１００により実行される制御（図３、図４など）は、放送データに含まれる音データを外部接続された他の装置に出力する場合に、符号化を行うなど、セキュアな処理に対応していない端子であれば、適用することができる。
【００５５】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、スマートフォン、タブレット、メディアプレイヤなど、音データを外部に出力可能な装置を含むが、これらに限定されない。
【００５６】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００５７】
１  携帯電話
１１０  通信部
１２０  表示部
１３０  操作部
１４０  テレビチューナ
１５０  スピーカ
１６０Ａ  第１コネクタ
１６０Ｂ  第２コネクタ
１７０  記憶部
１８０  制御部
【図１】
2014135704.tif 000003
【図２】
2014135704.tif 000004
【図３】
2014135704.tif 000005
【図４】
2014135704.tif 000006
【図５】
2014135704.tif 000007
【図６】
2014135704.tif 000008